(57)【要約】【課題】  書籍を出版するまでの各工程において作業ミスの発生を抑止する。【解決手段】  作業内容に応じて区分された複数の工程において、書籍の原稿を管理する管理サーバ１１０であって、前記原稿に基づいて生成された原稿データについての印刷要求を受信した場合に、該原稿データの各ページが挿入される各シートに、実行中の工程に応じた二次元コードであって、該各シートの正否の判定に用いられるシート固有の二次元コードを付して出力する印刷制御部１１０３を有することを特徴とする。【選択図】図１１
2016092533.tif 000002
【特許請求の範囲】
【請求項１】
作業内容に応じて区分された複数の工程において、書籍の原稿を管理する管理システムであって、
前記原稿に基づいて生成された原稿データについての印刷要求を受信した場合に、該原稿データの各ページが挿入される各シートに、実行中の工程に応じた識別情報であって、該各シートの正否の判定に用いられるシート固有の識別情報を付して出力する印刷制御手段を有することを特徴とする管理システム。
【請求項２】
前記原稿データを生成する第１の作業を含む工程と、前記印刷要求に応じて前記第１の作業により生成された原稿データを印刷して原稿を生成する第２の作業を含む工程とを、異なる工程コードで管理する管理手段を更に有し、
前記印刷制御手段は、
前記印刷要求を受信した場合に、前記書籍を示す書籍コードと前記第２の作業を含む工程を示す工程コードとが含まれる前記識別情報を、前記各シートに付して出力することを特徴とする請求項１に記載の管理システム。
【請求項３】
前記識別情報は、更に、
前記第１の作業により生成された原稿データの各ページが挿入されるシートの総数を示すコードと、前記第１の作業により生成された原稿データの各ページが挿入される前記各シートの順序を示すコードとを含むことを特徴とする請求項２に記載の管理システム。
【請求項４】
前記印刷制御手段は、
前記各シートにおいて、前記シート固有の識別情報を複数箇所に付して出力することを特徴とする請求項３に記載の管理システム。
【請求項５】
前記印刷制御手段は、更に、
前記第２の作業により生成された原稿に対して校正が行われたことを示すマークを記入するための記入領域を、前記各シートに付して出力することを特徴とする請求項２乃至４のいずれか１項に記載の管理システム。
【請求項６】
前記第２の作業を含む工程において校正が行われた原稿をスキャンすることで生成されるスキャンデータの各シートの正否を判定するスキャン制御手段を更に有し、
前記スキャン制御手段は、
前記スキャンデータの各シートに付されている前記識別情報を解析することで、該各シートの書籍コード及び工程コードを抽出し、
抽出した前記各シートの書籍コード及び工程コードの正否を判定することを特徴とする請求項４に記載の管理システム。
【請求項７】
前記スキャン制御手段は、
前記スキャンデータの各シートに付されている前記識別情報を解析することで、該各シートの順序を示すコードを抽出し、前記スキャンデータにおけるシートの抜けの有無を判定することを特徴とする請求項６に記載の管理システム。
【請求項８】
前記複数の工程それぞれにおいて作業が行われるごとに、前記管理手段により管理される通知対象者に、該作業が行われたことを示す情報を通知する通知手段を更に有することを特徴とする請求項７に記載の管理システム。
【請求項９】
前記通知手段は、更に、
前記スキャン制御手段による判定の結果を前記通知対象者に通知することを特徴とする請求項８に記載の管理システム。
【請求項１０】
作業内容に応じて区分された複数の工程において、書籍の原稿を管理するコンピュータに、
前記原稿に基づいて生成された原稿データについての印刷要求を受信した場合に、該原稿データの各ページが挿入される各シートに、実行中の工程に応じた識別情報であって、該各シートの正否の判定に用いられるシート固有の識別情報を付して出力する処理を実行させるためのプログラム。
【請求項１１】
作業内容に応じて区分された複数の工程において、書籍の原稿を管理する管理システムに接続される画像処理装置であって、
前記原稿に基づいて生成された原稿データについての印刷要求を前記管理システムに送信する送信手段と、
前記原稿データの各ページが挿入される各シートに、実行中の工程に応じた識別情報であって、該各シートの正否の判定に用いられるシート固有の識別情報が付されたデータを、前記管理システムより受信し、印刷する印刷手段と
を有することを特徴とする画像処理装置。
【請求項１２】
作業内容に応じて区分された複数の工程において、書籍の原稿を管理する管理システムと、該管理システムに接続される画像処理装置と、を有する画像処理システムであって、
前記管理システムは、
前記原稿に基づいて生成された原稿データについての印刷要求を受信した場合に、該原稿データの各ページが挿入される各シートに、実行中の工程に応じた識別情報であって、該各シートの正否の判定に用いられるシート固有の識別情報を付して出力する印刷制御手段を有し、
前記画像処理装置は、
前記原稿データについての印刷要求を前記管理システムに送信する送信手段と、
前記原稿データについての印刷要求に応じて前記管理システムにより出力された前記各シートを印刷する印刷手段と
を有することを特徴とする画像処理システム。
【請求項１３】
作業内容に応じて区分された複数の工程において、書籍の原稿を管理する管理システムと、該管理システムに接続される画像処理装置と、を有する画像処理システムにおける校正原稿生成方法であって、
前記管理システムは、
前記原稿に基づいて生成された原稿データについての印刷要求を受信した場合に、該原稿データの各ページが挿入される各シートに、実行中の工程に応じた識別情報であって、該各シートの正否の判定に用いられるシート固有の識別情報を付して出力する印刷制御工程を実行し、
前記画像処理装置は、
前記原稿データについての印刷要求を前記管理システムに送信する送信工程と、
前記原稿データについての印刷要求に応じて前記管理システムにより出力された前記各シートを印刷する印刷工程と
を実行することを特徴とする校正原稿生成方法。
【請求項１４】
前記管理システムは、
前記管理システムに対するアクセス数、前記管理システムの利用時間、または前記各シートに各ページが挿入されることで出力された前記原稿データのデータ量または出力回数に応じて課金する課金工程を更に実行することを特徴とする請求項１３に記載の校正原稿生成方法。
【発明の詳細な説明】
【技術分野】
【０００１】
本発明は、画像処理システム、管理システム、画像処理装置、校正原稿生成方法及びプログラムに関する。
【背景技術】
【０００２】
一般に、小説等の各種書籍を出版する場合、出版社では、出版までの各工程において複数の作業者が様々な作業を行う。
【０００３】
具体的には、小説の作者より出版社に原稿が送付されると、まず、オペレータが当該原稿を電子化し、次いで編集者が、電子化された原稿データを印刷したうえで、赤入れとよばれる校正作業を行う。更に、赤入れした原稿を作者に送付し作者にて確認が行われると、原稿が返送されるため、オペレータは当該返送された原稿を再び電子化する作業を行う。通常、出版社では、これらの工程を複数回にわたり繰り返す。このため、原稿のスキャン作業や電子化された原稿データの印刷作業等の、画像処理装置を用いた作業の回数も多くなる。
【０００４】
これに対して、例えば下記特許文献では、出版までの各工程において用いられる画像処理装置に関して、スキャン作業や印刷作業を容易に行うことができ、かつ低コスト化を実現する構成が提案されている。
【発明の概要】
【発明が解決しようとする課題】
【０００５】
一方で、上記のようにスキャン作業や印刷作業が繰り返し行われる状況下においては、原稿の抜けや異なる原稿の混入等、様々な作業ミスが発生することが想定される。このため、画像処理装置を用いた作業における作業ミスの発生を抑止するための対策が重要となってくる。
【０００６】
本発明は上記課題に鑑みてなされたものであり、書籍を出版するまでの各工程において作業ミスの発生を抑止することを目的とする。
【課題を解決するための手段】
【０００７】
本発明の実施形態に係る管理システムは、以下のような構成を有する。すなわち、
作業内容に応じて区分された複数の工程において、書籍の原稿を管理する管理システムであって、
前記原稿に基づいて生成された原稿データについての印刷要求を受信した場合に、該原稿データの各ページが挿入される各シートに、実行中の工程に応じた識別情報であって、該各シートの正否の判定に用いられるシート固有の識別情報を付して出力する印刷制御手段を有することを特徴とする。
【発明の効果】
【０００８】
本発明の各実施形態によれば、書籍を出版するまでの各工程において作業ミスの発生を抑止することが可能になる。
【図面の簡単な説明】
【０００９】
【図１】画像処理システムの全体構成を示す図である。
【図２】書籍を出版するまでの各工程の作業の流れを示すシーケンス図である。
【図３】書籍を出版するまでの各工程の作業の流れを示すシーケンス図である。
【図４】管理サーバのハードウェア構成を示す図である。
【図５】初期原稿及び原稿データの一例を示す図である。
【図６】校正紙フォーマットの一例を示す図である。
【図７】校正用原稿データの一例を示す図である。
【図８】校正済み原稿の一例を示す図である。
【図９】管理情報の一例を示す図である。
【図１０】原稿情報及びスキャン原稿情報について説明するための図である。
【図１１】管理サーバの機能構成を示す図である。
【図１２】登録処理の流れを示すフローチャートである。
【図１３】一覧情報提供処理の流れを示すフローチャートである。
【図１４】印刷制御処理の流れを示すフローチャートである。
【図１５】スキャン制御処理の流れを示すフローチャートである。
【図１６】スキャンデータチェック処理の流れを示すフローチャートである。
【図１７】二次元コードの内容及びスキャンデータチェック処理の具体例を示す図である。
【図１８】通知処理の流れを示すフローチャートである。
【図１９】スキャン制御処理の流れを示すフローチャートである。
【図２０】管理サーバの機能構成を示す図である。
【図２１】課金部の処理の概要を説明するための図である。
【発明を実施するための形態】
【００１０】
以下、本発明の各実施形態について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．画像処理システムの構成＞
はじめに、画像処理システムの全体構成について説明する。図１は、画像処理システムの全体構成を示す図である。
【００１２】
図１に示すように、画像処理システム１００は、管理サーバ１１０と、情報端末１３０と、画像処理装置１４０と、情報端末１５０〜１７０とを有する。管理サーバ１１０と、情報端末１３０、画像処理装置１４０、情報端末１５０〜１７０とは、ネットワーク１８０を介して通信可能に接続されている。
【００１３】
管理サーバ１１０は、管理プログラム１２０と、管理情報データベース（以下、ＤＢと略す）１２１と、原稿ＤＢ１２２と、スキャン原稿ＤＢ１２３とを有する。
【００１４】
管理プログラム１２０は、小説等の各種書籍を出版するまでの作業内容に応じて区分された各工程において、書籍の原稿を管理する管理処理を実行する。また、管理情報ＤＢ１２１は、管理プログラム１２０において原稿を管理する際に用いられる管理情報を格納する。
【００１５】
原稿ＤＢ１２２は、「原稿」を電子化することで得られる「原稿データ」を格納する。なお、ここでいう「原稿」には、小説等の各種書籍の作者により送付された「初期原稿」のほか、編集者または校正者が原稿データを印刷し、赤入れとよばれる校正作業を行った後の「校正済み原稿」も含まれるものとする。
【００１６】
スキャン原稿ＤＢ１２３は、電子化すべき原稿（初期原稿、校正済み原稿）に対してスキャン処理を行うことで得られる「スキャンデータ」を格納する。
【００１７】
情報端末１３０は、オペレータ１３１が原稿を電子化する際に用いる端末である。情報端末１３０では、電子化すべき原稿に対してスキャン処理が行われることで、スキャン原稿ＤＢ１２３にスキャンデータが格納された場合に、当該スキャンデータを読み出し、手書きされた文字をタイピングすることで原稿を電子化する。また、情報端末１３０は、原稿を電子化することで得られる原稿データを原稿ＤＢ１２２に格納する。
【００１８】
画像処理装置１４０は、ＭＦＰ（Multi-function Peripheral）等の、スキャン機能と印刷機能とを有する装置である。画像処理装置１４０は、編集者または校正者が原稿データについて印刷処理を行う場合、あるいは電子化すべき原稿についてスキャン処理を行う場合に用いられる。
【００１９】
情報端末１５０は、編集者または校正者１５１が操作する端末である。情報端末１６０、１７０は、編集者または校正者１５１を監督する監督者１６１、１７１が操作する端末である。情報端末１５０〜１７０は、管理サーバ１１０にアクセスし、管理情報ＤＢ１２１の管理情報に各種情報を記録したり、管理情報を読み出し、編集者または校正者１５１、監督者１６１、１７１に対して管理情報を閲覧可能に表示する。
【００２０】
なお、図１の例では、１台の管理サーバ１１０が管理プログラム１２０を実行する場合について示したが、管理プログラム１２０は、その一部が、他のサーバにより実行されてもよい。また、図１の例では、１台の管理サーバ１１０が管理情報ＤＢ１２１、原稿ＤＢ１２２、スキャン原稿ＤＢ１２３を有する場合について示したが、管理情報ＤＢ１２１、原稿ＤＢ１２２、スキャン原稿ＤＢ１２３は、それぞれ異なるサーバが有していてもよい。
【００２１】
つまり、管理サーバ１１０は、複数のサーバからなる「管理システム」により構成されてもよい。
【００２２】
＜２．書籍を出版するまでの各工程における作業の流れ＞
次に、書籍を出版するまでの各工程における作業の流れについて図２及び図３を用いて説明する。図２及び図３は、書籍を出版するまでの各工程における作業の流れを示すシーケンス図である。
【００２３】
ステップＳ２０１において、書籍の作者２００は初期原稿を作成し、ステップＳ２０２において、作成した初期原稿を編集者または校正者１５１に送付する。
【００２４】
ステップＳ２０３において、編集者または校正者１５１は、作者２００より初期原稿を受け取る。また、ステップＳ２０４において、受け取った初期原稿を画像処理装置１４０を用いてスキャンすべく、スキャン作業を行う。具体的には、初期原稿を画像処理装置１４０にセットし、画像処理装置１４０に対してスキャン処理の実行を指示する。
【００２５】
スキャン処理の実行指示を受け付けた画像処理装置１４０は、ステップＳ２０５においてスキャン処理を開始する。これにより、セットされた初期原稿がスキャン位置まで給送され、初期原稿が順次ＰＤＦ（Portable Document Format）化される。また、ＰＤＦ化された初期原稿は、スキャンデータとして管理サーバ１１０に送信され、スキャン原稿ＤＢ１２３の所定の格納場所に格納される。
【００２６】
ステップＳ２０６において、情報端末１５０は、初期原稿に関して記録すべき登録情報を、管理情報ＤＢ１２１の管理情報に記録する登録処理を行う。初期原稿に関して記録すべき登録情報には、例えば、作者の名前や書籍のタイトル名が含まれる。また、当該初期原稿を取り扱う編集者または校正者１５１の名前及びＩＤ（Identification）、編集者または校正者１５１を監督する監督者１６１、１７１の名前及びＩＤ、オペレータ１３１の名前及びＩＤ等が含まれる。更には、スキャンデータのファイル名や格納場所、書籍ごとに固有の本コード（書籍コード）等が含まれる。
【００２７】
ステップＳ２０７において、情報端末１３０は、スキャン原稿ＤＢ１２３に格納されたスキャンデータを読み出す。また、ステップＳ２０８において、情報端末１３０は、読み出したスキャンデータを電子化し、原稿データを生成する。
【００２８】
ステップＳ２０９において、情報端末１３０は、管理サーバ１１０に対して原稿データを送信する。これにより、原稿データは原稿ＤＢ１２２の所定の格納場所に格納される。
【００２９】
ステップＳ２１０において、情報端末１３０は、原稿データに関して記録すべき登録情報を管理情報ＤＢ１２１の管理情報に記録する登録処理を行う。原稿データに関して記録すべき登録情報には、原稿データのファイル名や格納場所が含まれる。
【００３０】
なお、ここまでの工程を本実施形態では「初稿工程」と称する。すなわち、初期原稿に対するスキャン処理から原稿データの生成・格納処理までが初稿工程となる。初稿工程には、固有の工程コードが定義されているものとする。また、登録処理（ステップＳ２０６）において記録される登録情報には、初稿工程の工程コード、工程の名称も含まれるものとする。
【００３１】
原稿ＤＢ１２２に新たに原稿データが格納されると、ステップＳ２１１において、情報端末１５０は登録処理を行う。具体的には、校正工程（１回目）を示す固有の工程コードと工程の名称を登録情報として管理サーバ１１０に送信する。これにより、管理情報ＤＢ１２１の管理情報に、当該送信された登録情報が記録される。
【００３２】
ステップＳ２１２において、編集者または校正者１５１は印刷作業を行う。具体的には、画像処理装置１４０にログインし、画像処理装置１４０において編集者または校正者１５１が印刷可能な原稿データの一覧を要求する。画像処理装置１４０では、管理サーバ１１０に対して一覧要求を行う。画像処理装置１４０からの一覧要求を受けて、管理サーバ１１０では、管理情報ＤＢ１２１を参照し、編集者または校正者１５１によって印刷が許可されている原稿データの一覧情報を送信する。一覧情報を受信した画像処理装置１４０では、当該一覧情報を表示し、編集者または校正者１５１から原稿データの選択並びに印刷要求を受け付ける。更に、選択された原稿データについての印刷要求を管理サーバ１１０に送信する。
【００３３】
ステップＳ２１３において、管理サーバ１１０では、印刷要求された原稿データに基づいて「校正用原稿データ」を生成し、画像処理装置１４０に送信することで、画像処理装置１４０に印刷処理を実行させる。これにより、編集者または校正者１５１は、「校正用原稿」を取得することができる。
【００３４】
ステップＳ２１４において、編集者または校正者１５１は、取得した校正用原稿に対して赤入れと呼ばれる校正作業を行う。また、ステップＳ２１５において、編集者または校正者１５１は、校正用原稿に対して校正作業を行うことで得られる校正済み原稿を作者２００に送付する。
【００３５】
校正済み原稿を受け取った作者２００は、ステップＳ２１６において、校正済み原稿を確認する確認作業を行う。また、ステップＳ２１７において、確認が完了した校正済み原稿を、編集者または校正者１５１に送付する。
【００３６】
ステップＳ２１８において、編集者または校正者１５１は、確認が完了した校正済み原稿を受け取る。また、ステップＳ２１９において、編集者または校正者１５１は、受け取った校正済み原稿を画像処理装置１４０を用いてスキャンすべく、スキャン作業を行う。具体的には、校正済み原稿を画像処理装置１４０にセットし、画像処理装置１４０に対してスキャン処理の実行を指示する。
【００３７】
スキャン処理の実行指示を受け付けた画像処理装置１４０は、ステップＳ２２０においてスキャン処理を開始する。これにより、セットされた校正済み原稿がスキャン位置まで給送され、校正済み原稿が順次ＰＤＦ化される。また、画像処理装置１４０は、ＰＤＦ化した校正済み原稿を、スキャンデータとして、スキャン原稿ＤＢ１２３の所定の格納場所に格納する。
【００３８】
ステップＳ２２１において、情報端末１５０は、校正済み原稿に関して記録すべき登録情報を、管理情報ＤＢ１２１の管理情報に記録する登録処理を行う。校正済み原稿に関して記録すべき登録情報には、スキャンデータのファイル名や格納場所が含まれる。
【００３９】
ステップＳ２２２において、情報端末１３０は、スキャン原稿ＤＢ１２３に格納されたスキャンデータを読み出し、ステップＳ２２３において、情報端末１３０は、読み出したスキャンデータを電子化し、原稿データを生成する。
【００４０】
ステップＳ２２４において、情報端末１３０は、管理サーバ１１０に対して原稿データを送信する。これにより、原稿データは原稿ＤＢ１２２の所定の格納場所に格納される。
【００４１】
ステップＳ２２５において、情報端末１３０は、原稿データに関して記録すべき登録情報を管理情報ＤＢ１２１の管理情報に記録する登録処理を行う。原稿データに関して記録すべき登録情報には、原稿データのファイル名や格納場所が含まれる。これにより、校正工程（１回目）が終了する。続いて、図３に進み、校正工程（２回目）を開始する。
【００４２】
ステップＳ３０１において、情報端末１５０は登録処理を行う。具体的には、校正工程（２回目）を示す固有の工程コードと工程の名称を登録情報として管理サーバ１１０に送信する。これにより、管理情報ＤＢ１２１の管理情報に登録情報が記録される。
【００４３】
以降、ステップＳ３０２からＳ３１５までの処理は、ステップＳ２１１からＳ２２５までの処理と同じであるため、ここでは説明を省略する。また、図３の例では、校正工程（２回目）を実施する場合について示したが、校正工程（２回目）は、必ずしも実施する必要はない。あるいは、必要に応じて校正工程（３回目）、校正工程（４回目）、・・・を実施してもよい。
【００４４】
校正工程が完了すると、終了工程を開始し、ステップＳ３１６において、情報端末１５０は登録処理を行う。具体的には、終了工程を示す固有の工程コードと工程の名称とを登録情報として管理サーバ１１０に送信する。これにより、管理情報ＤＢ１２１の管理情報に登録情報が記録される。
【００４５】
ステップＳ３１７において、編集者または校正者１５１は印刷作業を行う。具体的には、画像処理装置１４０にログインし、画像処理装置１４０において編集者または校正者１５１が印刷可能な原稿データの一覧を要求する。画像処理装置１４０では、管理サーバ１１０に対して一覧要求を行う。画像処理装置１４０からの一覧要求を受けて、管理サーバ１１０では、管理情報ＤＢ１２１を参照し、編集者または校正者１５１によって印刷が許可されている原稿データの一覧情報を送信する。一覧情報を受信した画像処理装置１４０では、当該一覧情報を表示し、編集者または校正者１５１から原稿データの選択並びに印刷要求を受け付ける。更に、選択された原稿データについての印刷要求を管理サーバ１１０に送信する。
【００４６】
ステップＳ３１８において、管理サーバ１１０では、印刷要求された原稿データに基づいて「承認用原稿データ」を生成し、画像処理装置１４０に送信することで、画像処理装置１４０に印刷処理を実行させる。これにより、編集者または校正者１５１は、「承認用原稿」を取得することができる。なお、本実施形態において、承認用原稿データは、校正用原稿データと同様のフォーマットにより生成されるものとする。
【００４７】
ステップＳ３１９において、編集者または校正者１５１は、承認用原稿を作者２００に送付する。承認用原稿を受け取った作者２００は、ステップＳ３２０において、承認用原稿を承認する承認作業を行う。また、ステップＳ３２１において、承認した承認用原稿を、編集者または校正者１５１に送付する。
【００４８】
ステップＳ３２２において、編集者または校正者１５１は、承認用原稿を受け取る。ステップＳ３２３において、情報端末１５０は登録処理を行う。具体的には、校正が終了した旨の情報（校了情報）を登録情報として管理情報ＤＢ１２１に送信する。これにより、管理情報ＤＢ１２１の管理情報に登録情報が記録される。これにより、終了工程が終了する。
【００４９】
その後、編集者または校正者１５１は、校了情報が記録された時点で管理サーバ１１０に格納されている最新の原稿データを用いて出版作業を行う。これにより、原稿データが製本化され、書籍の出版が可能となる。
【００５０】
＜２．管理サーバのハードウェア構成＞
次に、管理サーバ１１０のハードウェア構成について説明する。図４は、管理サーバ１１０のハードウェア構成を示す図である。
【００５１】
図４に示すように、管理サーバ１１０は、ＣＰＵ（Central Processing Unit）４０１、ＲＯＭ（Read Only Memory）４０２、ＲＡＭ（Random Access Memory）４０３、記憶部４０４を備える。更に、管理サーバ１１０は、通信部４０５、表示部４０６、操作部４０７を備える。なお、管理サーバ１１０の各部は、バス４０８を介して相互に接続されている。
【００５２】
ＣＰＵ４０１は、記憶部４０４に格納された各種プログラム（例えば、管理プログラム１２０）を実行するコンピュータである。
【００５３】
ＲＯＭ４０２は不揮発性メモリである。ＲＯＭ４０２は、記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００５４】
ＲＡＭ４０３は、ＤＲＡＭ（Dynamic Random Access Memory）やＳＲＡＭ（Static Random Access Memory）等の主記憶装置である。ＲＡＭ４０３は、記憶部４０４に格納された各種プログラムがＣＰＵ４０１によって実行される際に展開される、作業領域として機能する。
【００５５】
記憶部４０４は、ＣＰＵ４０１により実行される各種プログラム及び各種プログラムがＣＰＵ４０１により実行される際に利用される各種ＤＢ（例えば、管理情報ＤＢ１２１、原稿ＤＢ１２２、スキャン原稿ＤＢ１２３）を格納する。
【００５６】
通信部４０５は、ネットワーク１８０を介して、情報端末１３０、画像処理装置１４０、情報端末１５０〜１７０と通信を行う。
【００５７】
表示部４０６は、管理サーバ１１０が有する各種情報を表示する。操作部４０７は、管理サーバ１１０に各種指示を入力する際に用いられる。
【００５８】
＜３．原稿及び原稿データの説明＞
次に、書籍を出版するまでの各工程において、作者２００と編集者または校正者１５１との間でやり取りされる各種原稿、及び画像処理システム１００内において送受信される原稿データについて説明する。
【００５９】
（１）初期原稿及び原稿データ
はじめに初期原稿及び原稿データについて説明する。図５は、初期原稿及び原稿データの一例を示す図である。図５（ａ）に示すように、作者２００により作成される初期原稿５００は、原稿用紙等の紙媒体に手書きで記載されている。一方、図５（ｂ）に示すように、オペレータ１３１により電子化されることで生成される原稿データ５１０は、１ページあたりの文字数及び文字のフォント等が統一された文書データである。原稿データ５１０は初期原稿５００に基づいて生成され、以降、各校正工程において、校正済み原稿に基づいてオペレータ１３１により順次修正されていく。
【００６０】
（２）校正紙フォーマット
次に、校正用原稿データを生成する際に用いられる校正紙フォーマットについて説明する。後述するように校正用原稿データは、表紙と、原稿データの各ページが校正紙フォーマットに挿入されたシートとを有している。なお、ここでは、原稿データの各ページが挿入される校正紙フォーマットについて説明する。図６は、校正紙フォーマットの一例を示す図である。
【００６１】
図６に示すように、校正紙フォーマット６００は、１シートあたり２ページの原稿データが挿入されるようにトンボ６０１が配置されている。トンボとは、出版物を作成する際に、仕上がりサイズに断裁するための位置や多色刷りの見当あわせのために、版下の天地・左右の中央と四隅などに付される目印のことをいう。
【００６２】
校正紙フォーマット６００は、更に原稿データの各ページが挿入される挿入領域６０２を有する。また、挿入領域６０２の外側には、管理情報表示領域６１０、チェックマーク記入領域６２０、ＱＲ（Quick Response  登録商標）コード等の二次元コード６３０、６３１、ノンブル６４０が配置されている。
【００６３】
管理情報表示領域６１０には、管理情報ＤＢ１２１の管理情報または管理情報に基づく情報が記入される。例えば、校正工程（１回目）において校正用原稿データを生成する場合、挿入領域６０２には、初期原稿５００を電子化した原稿データが挿入されるため、原稿特定欄６１１には、初期原稿５００を示す"初稿"が記入される。また、校正工程（２回目）において校正用原稿データを生成する場合、挿入領域６０２には、１回目の校正済み原稿に基づいて電子化された原稿データが挿入される。このため、原稿特定欄６１１には、１回目の校正が行われた２回目の原稿であることを示す"二校"が記入される。
【００６４】
更に、管理情報表示領域６１０のタイトル記入欄６１２には、書籍のタイトルが記入され、割り当てページ記入欄６１３には、挿入される原稿データの各ページが、書籍の何ページ目から何ページ目までに割り当てられるかを示すページ範囲が記入される。なお、原稿データの各ページは、出版時の各ページに対応するものとする。
【００６５】
更に、管理情報表示領域６１０の出版社記入欄６１４には、書籍を出版する出版社の名称が記入される。
【００６６】
チェックマーク記入領域６２０は、校正用原稿データが印刷され編集者または校正者１５１が校正を行った場合に、校正を行ったことを示すマークが記入される領域である。チェックマーク記入領域６２０を設けたことで、オペレータ１３１はマークが記入されているか否かを判断すれば、当該シートが、校正が行われたシートであるか否かを容易に区別することができる。
【００６７】
二次元コード６３０、６３１は、各シートの正否の判定に用いられる、シート固有の識別情報（例えば、ＱＲコード（登録商標））である。具体的には、二次元コード６３０、６３１は、校正用原稿データの各シートが、いずれの書籍についての校正用原稿データであるかを特定する"本コード"と、いずれの工程の印刷作業により印刷された校正用原稿データであるかを特定する"工程コード"とを含む。また、二次元コード６３０、６３１は、校正用原稿データの各シートが、何シート目であるかを特定する"シート数"と、校正用原稿データのシートの総数を示す"総シート数"とを含む。
【００６８】
このため、二次元コード６３０、６３１は、シートごとに異なる情報が含まれることとなる。ただし、同一シート内においては同一の情報が含まれているものとする。また、二次元コード６３０、６３１は、同一シート内において異なる２箇所の位置に配置される。
【００６９】
このように、同一の情報が含まれる二次元コードを同一シート内の異なる位置に配置したのは、二次元コードの読み取りミスが発生するのを防止（または低減）するためである。上述したように、校正用原稿データは印刷されて校正された後に、校正済み原稿として作者２００に送付され、作者２００によって確認された後に編集者または校正者１５１に返送され、スキャン処理を経てスキャンデータとなる。このため、スキャンデータを生成する時点で、校正済み原稿が汚れていたり、折れ曲がっていたりすることが容易に想定される。これに対して、同一シート内の異なる位置に同一の情報を含む二次元コード６３０、６３１を配置しておけば、いずれか一方の読み取りミスが発生した場合でも、残りの一方の読み取りには成功する可能性がある。つまり、読み取りミスの発生を防止（または低減）することができる。
【００７０】
したがって、二次元コードは２箇所の位置に配置する場合に限定されず、３箇所以上の複数箇所に配置するようにしてもよい。また、二次元コード６３０、６３１の位置は、シートの右下及び左下に限定されず、他の位置であってもよい。
【００７１】
ノンブル６４０は、校正用原稿データの総シート数と、各シートの順序（校正用原稿データの何シート目にあたるか）を示すシート数とを含む。
【００７２】
（３）校正用原稿データ
次に校正用原稿データについて説明する。図７は、校正用原稿データの一例を示す図である。図７に示すように、校正用原稿データ７００は、表紙７０１と、原稿データの各ページが校正紙フォーマットに挿入されたシート７０２とを有する。
【００７３】
表紙７０１には、書籍のタイトルと、編集者または校正者１５１の名前が記入される。各シート７０２には、管理情報表示領域６１０に各シート共通の管理情報が記入される。また、各シート７０２には、各シートごとに異なる二次元コード６３０、６３１及びノンブル６４０が記入される。
【００７４】
（４）校正済み原稿
次に、校正用原稿データが印刷され、編集者または校正者１５１により校正された校正済み原稿について説明する。図８は、校正済み原稿８００の一例を示す図である。図８に示すように、編集者または校正者１５１は、校正用原稿データを紙媒体等に印刷した後、手書きにより校正を行う。手書き箇所８０１〜８０３は、編集者または校正者１５１が手書きで校正した箇所を示している。編集者または校正者１５１は、手書きで校正を行った場合、当該シートのチェックマーク記入領域６２０に、マークを記入する。なお、校正を行っていないシートのチェックマーク記入領域６２０には、マークを記入しない。
【００７５】
＜４．ＤＢに格納される情報の説明＞
次に、各ＤＢ（管理情報ＤＢ１２１、原稿ＤＢ１２２、スキャン原稿ＤＢ１２３）に格納される情報について説明する。
【００７６】
（１）管理情報の説明
はじめに、管理情報ＤＢ１２１に格納される管理情報について説明する。図９は、管理情報９００の一例を示す図である。図９に示すように、管理情報９００は情報の項目として、"本コード"、"タイトル"、"作者"、"編集者／校正者"、"通知対象者"、"工程"、"日付"、"工程コード"を含む。更に、管理情報９００は情報の項目として、"スキャンデータ"、"原稿データ"、"校正紙ＩＤ"、"校正用原稿データ"、"校了"を含む。
【００７７】
"本コード"には、書籍を特定するためのコードが記録される。"タイトル"には、書籍の題名が記録される。"作者"には、書籍の作者２００の名前が記録される。"編集者／校正者"には、書籍を出版するまでの各工程における一連の作業を担当する編集者または校正者１５１の名前及びＩＤ（Identification）が記録される。"通知対象者"には、書籍を出版するまでの各工程において、管理情報９００が更新されたことを通知すべき関係者（例えば、編集者または校正者１５１及びその監督者１６１、１７１、オペレータ１３１等）の名前及びＩＤが記録される。
【００７８】
"工程"には、それぞれの工程の名称が記録される。図９の例では、初稿工程、校正工程（１回目）、校正工程（２回目）、終了工程を経て校了した場合を示している。"日付"には、各工程が記録された日時が記録される。"工程コード"には、それぞれの工程固有のコードが記録される。
【００７９】
"スキャンデータ"には、原稿に対するスキャン処理により生成されたスキャンデータのファイル名及び格納場所が記録される。図９の例は、初稿工程において、初期原稿に対するスキャン処理により生成されたスキャンデータとして、ファイル名"ｐｄｆ１ｓ"が付されたスキャンデータが格納されたことを示している。また、校正工程（１回目）において、校正済み原稿に対するスキャン処理により生成されたスキャンデータとして、ファイル名"ｐｄｆ２ｓ"が付されたスキャンデータが格納されたことを示している。更に、校正工程（２回目）において、校正済み原稿に対するスキャン処理により生成されたスキャンデータとして、ファイル名"ｐｄｆ３ｓ"が付されたスキャンデータが格納されたことを示している。
【００８０】
"原稿データ"には、スキャンデータに基づいて、原稿を電子化することで生成される原稿データのファイル名及び格納場所が記録される。図９の例は、初稿工程において、初期原稿に対するスキャン処理により生成されたスキャンデータに基づいて、初期原稿を電子化して得られる原稿データとして、ファイル名"ｐｄｆ１ｄ"が付された原稿データが可能されたことを示している。
【００８１】
また、校正工程（１回目）において、校正済み原稿に対するスキャン処理により生成されたスキャンデータに基づいて、校正済み原稿の校正内容が反映された原稿データとして、ファイル名"ｐｄｆ２ｄ"が付された原稿データが格納されたことを示している。
【００８２】
更に、校正工程（２回目）において、校正済み原稿に対するスキャン処理により生成されたスキャンデータに基づいて、校正済み原稿の校正内容が反映された原稿データとして、ファイル名"ｐｄｆ３ｄ"が付された原稿データが格納されたことを示している。
【００８３】
なお、図９の例では、校正工程（２回目）において生成された原稿データ（ファイル名＝"ｐｄｆ３ｄ"）が出版作業における製本化に用いられる。このため、終了工程に対応する"原稿データ"には、 "ｐｄｆ３ｄ"の原稿データを読み取り専用に設定して所定の格納場所に格納した原稿データのファイル名"ｐｄｆ＿ｆｉｎａｌ"が記録される。
【００８４】
"校正紙ＩＤ"には、校正紙フォーマット６００を特定するためのＩＤが記録される。なお、校正紙フォーマットは、図６に示す校正紙フォーマット６００のほか、複数種類用意されており、編集者または校正者１５１が選択できるように構成されているものとする。したがって、"校正紙ＩＤ"には、編集者または校正者１５１により選択された校正紙フォーマットを特定するためのＩＤが記録される。
【００８５】
"校正用原稿データ"には、校正用原稿データのファイル名及び格納場所が記録される。図９の例では、ファイル名"ｐｄｆ１ｄ"の原稿データを校正紙フォーマット６００に挿入することで生成された校正用原稿データのファイル名"ｐｄｆ１ｐ"が、ファイル名"ｐｄｆ１ｄ"と対応付けて記録されている。なお、ファイル名"ｐｄｆ１ｐ"の校正用原稿データは、校正工程（１回目）が開始され、校正工程（１回目）の工程コード（実行中の工程の工程コード）が管理情報９００に記録された後であって、印刷処理が行われる際に生成される。
【００８６】
また、"校正用原稿データ"には、ファイル名"ｐｄｆ２ｄ"の原稿データを校正紙フォーマット６００に挿入することで生成された校正用原稿データのファイル名"ｐｄｆ２ｐ"が、ファイル名"ｐｄｆ２ｄ"と対応付けて記録されている。なお、ファイル名"ｐｄｆ２ｐ"の校正用原稿データは、校正工程（２回目）が開始され、校正工程（２回目）の工程コード（実行中の工程の工程コード）が管理情報９００に記録された後であって、印刷処理が行われる際に生成される。
【００８７】
更に、"校正用原稿データ"には、ファイル名"ｐｄｆ３ｄ"の原稿データを校正紙フォーマット６００に挿入することで生成された承認用原稿データのファイル名"ｐｄｆ３ｐ"が、ファイル名"ｐｄｆ３ｄ"と対応付けて記録されている。なお、ファイル名"ｐｄｆ３ｐ"の承認用原稿データは、終了工程が開始され終了工程の工程コード（実行中の工程の工程コード）が管理情報に記録された後であって、印刷処理が行われる際に生成される。
【００８８】
"校了"には、編集者または校正者１５１が、作者２００より承認済み原稿を受け取り、情報端末１５０より、校正が完了した旨の校了情報が送信された場合に、校了したことを示す"〇"が記録される。
【００８９】
（２）原稿情報及びスキャン原稿情報の説明
次に、原稿ＤＢ１２２に格納される原稿情報及びスキャン原稿ＤＢ１２３に格納されるスキャン原稿情報について説明する。図１０は、原稿情報１０２０及びスキャン原稿情報１０１０について説明するための図である。
【００９０】
図１０において、表示画面１００１は、情報端末１３０においてオペレータ１３１が、スキャンデータに基づいて各種原稿を電子化する際に、情報端末１３０に表示される画面の一例である。
【００９１】
このうち、図１０（ａ）は、初期原稿に対するスキャン処理により生成されたスキャンデータ１０１１と、スキャンデータ１０１１に基づいて初期原稿を電子化することで得られる原稿データ１０２１とを表示した様子を示している。
【００９２】
また、図１０（ｂ）は、校正工程（１回目）において、校正済み原稿に対するスキャン処理により生成されたスキャンデータ１０１２と、スキャンデータ１０１２に基づいて校正済み原稿を電子化した原稿データ１０２２とを表示した様子を示している。
【００９３】
図１０（ａ）の場合、スキャン原稿ＤＢ１２３には、スキャンデータ１０１１を管理するためのスキャン原稿情報１０１０と、ファイル名＝"ｐｄｆ１ｓ"のスキャンデータ１０１１とが格納されている。スキャン原稿情報１０１０は、情報の項目として"日時"と、"作業者"と、"スキャンデータ"とを含む。
【００９４】
"日時"には、編集者または校正者１５１がスキャン作業を行った日時が記録される。"作業者"には、スキャン作業を行った編集者または校正者１５１の名前またはＩＤが記録される。"スキャンデータ"には、スキャン作業により生成されたスキャンデータ１０１１のファイル名が記録される。
【００９５】
表示画面１００１には、スキャン原稿情報１０１０の中からオペレータ１３１が選択したファイル名のスキャンデータが表示される。図１０（ａ）は、オペレータ１３１により、ファイル名＝"ｐｄｆ１ｓ"のスキャンデータ１０１１が選択されて、表示された例を示している。
【００９６】
また、図１０（ａ）の場合、原稿ＤＢ１２２には、原稿データ１０２１を管理するための原稿情報１０２０と、ファイル名＝"ｐｄｆ１ｄ"の原稿データ１０２１とが格納されている。
【００９７】
原稿情報１０２０は、情報の項目として"日時"と、"作業者"と、"原稿データ"とを含む。"日時"には、オペレータ１３１が電子化処理を行った日時が記録される。"作業者"には、電子化処理を行ったオペレータ１３１の名前またはＩＤが記録される。"原稿データ"には、電子化により生成された原稿データ１０２１のファイル名が記録される。
【００９８】
同様に、図１０（ｂ）の場合、スキャン原稿ＤＢ１２３には、スキャン原稿情報１０１０と、ファイル名＝"ｐｄｆ１ｓ"のスキャンデータ１０１１と、ファイル名＝"ｐｄｆ２ｓ"のスキャンデータ１０１２とが格納されている。表示画面１００１には、スキャン原稿情報１０１０の中から、オペレータ１３１が選択したファイル名のスキャンデータが表示される。図１０（ｂ）は、オペレータ１３１により、ファイル名＝"ｐｄｆ２ｓ"のスキャンデータ１０１２が選択されて表示された例を示している。
【００９９】
また、図１０（ｂ）の場合、原稿ＤＢ１２２には、ファイル名＝"ｐｄｆ１ｄ"の原稿データ１０２１と、ファイル名＝"ｐｄｆ２ｄ"の原稿データ１０２２とが格納されている。更に、原稿ＤＢ１２２には、原稿データを管理するための原稿情報１０２０が格納されている。なお、原稿データ１０２２は、原稿データ１０２１をスキャンデータ１０１２に基づいてオペレータ１３１が修正することで生成された原稿データである。
【０１００】
＜５．管理サーバの機能構成＞
次に、管理サーバ１１０の管理プログラム１２０がＣＰＵ４０１により実行されることで実現される機能について説明する。図１１は、管理サーバ１１０の機能構成を示す図である。
【０１０１】
図１１に示すように、管理プログラム１２０がＣＰＵ４０１により実行されることで、管理サーバ１１０において実現される機能には、登録部１１０１、印刷一覧生成部１１０２、印刷制御部１１０３、スキャン制御部１１０４、通知部１１０５が含まれる。
【０１０２】
登録部１１０１は、管理情報９００に各種情報を記録することで、各工程において原稿を管理する管理手段としての役割を果たす。具体的には、情報端末１３０または情報端末１５０から通知される登録情報を、管理情報ＤＢ１２１の管理情報９００に記録する。また、印刷制御部１１０３より通知される印刷情報（校正用原稿データの格納場所及びファイル名）を、管理情報ＤＢ１２１の管理情報９００に記録する。
【０１０３】
印刷一覧生成部１１０２は、画像処理装置１４０からの一覧要求に応じて、画像処理装置１４０に対して一覧情報を送信する。具体的には、一覧要求に含まれる編集者または校正者１５１のＩＤに基づいて、管理情報ＤＢ１２１内を検索し、"編集者／校正者"に記録されたＩＤが一覧要求に含まれるＩＤと一致する管理情報を抽出する。また、抽出したそれぞれの管理情報の"原稿データ"に含まれる原稿データのファイル名を一覧情報として画像処理装置１４０に送信する。
【０１０４】
印刷制御部１１０３は、画像処理装置１４０より、原稿データのファイル名が含まれる印刷要求を受信した場合に、当該原稿データのファイル名が記録された管理情報９００を参照し、表紙を生成する。また、当該原稿データを読み出し、各ページを校正紙フォーマット６００に挿入することで各シートを生成する。更に、管理情報９００を参照し、各シートの管理情報表示領域６１０に管理情報を記入するとともに、二次元コード６３０、６３１及びノンブル６４０を記入する。更に、生成した表紙及びシートを、校正用原稿データとして画像処理装置１４０に出力する。
【０１０５】
また、印刷制御部１１０３は、生成した校正用原稿データを所定の格納場所に格納するとともに、印刷情報（校正用原稿データの格納場所及びファイル名）を登録部１１０１に通知する。
【０１０６】
スキャン制御部１１０４は、画像処理装置１４０においてスキャン処理が実行されることで生成されたスキャンデータを受信し、スキャン原稿ＤＢ１２３に格納する。また、スキャン原稿情報１０１０に、受信したスキャンデータのファイル名、スキャン処理が実行された日時、スキャン作業を行った作業者の名前またはＩＤを記録する。
【０１０７】
また、スキャン制御部１１０４は、受信したスキャンデータに基づいて、作業ミスの有無を判定する。具体的には、スキャンデータの各シートに含まれる二次元コード６３０、６３１を解析し、異なる本コードや異なる工程コードのシートが含まれていないかを判定するとともに、シートの抜けがないかを判定する。
【０１０８】
更に、スキャン制御部１１０４は、受信したスキャンデータに基づいて、作業ミスの有無を判定した結果、作業ミスがあったと判定した場合に、作業ミスの内容（エラー情報）を通知部１１０５に通知する。
【０１０９】
通知部１１０５は、登録部１１０１により管理情報ＤＢ１２１の管理情報９００が更新された場合、管理情報９００の"通知対象者"に記録された通知対象者に、更新内容を送信する。また、通知部１１０５は、スキャン制御部１１０４より、エラー情報が通知された場合に、通知対象者にエラー情報の通知を行う。
【０１１０】
＜６．管理サーバの各部で実行される処理の流れ＞
次に管理サーバ１１０により実行される管理処理（図２、図３参照）について、各部ごとの処理に分けて詳細を説明する。
【０１１１】
（１）登録部による登録処理の流れ
はじめに、登録部１１０１による登録処理の流れについて説明する。図１２は、登録部１１０１による登録処理の流れを示すフローチャートである。
【０１１２】
ステップＳ１２０１において、登録部１１０１は、登録情報を受信したか否かを判定する。ステップＳ１２０１において、登録情報を受信したと判定した場合には、ステップＳ１２０３に進み、受信した登録情報に基づいて、管理情報９００を更新する。また、管理情報９００を更新したこと及び更新内容を通知部１１０５に通知する。なお、登録部１１０１が登録情報を受信するケースとしては、例えば以下のようなケースが挙げられる。
・初稿工程において、情報端末１５０より、管理情報９００の"本コード"、"タイトル"、"編集者／校正者"、"通知対象者"、"工程"、"日付"、"スキャンデータ""校正紙ＩＤ"についての登録情報を受信するケース（図２のステップＳ２０６）。
・初稿工程において、情報端末１３０より、管理情報９００の"原稿データ"についての登録情報を受信するケース（図２のステップＳ２１０）。
・校正工程（１回目、２回目）、終了工程において、情報端末１５０より、管理情報９００の"工程"、"日付"、"工程コード"についての登録情報を受信するケース（図２のステップＳ２１１、図３のステップＳ３０１、Ｓ３１６）。
・校正工程（１回目、２回目）において、情報端末１５０より、管理情報９００の"スキャンデータ"についての登録情報を受信するケース（図２のステップＳ２２１、図３のステップＳ３１１）。
・校正工程（１回目、２回目）において、情報端末１３０より、管理情報９００の"原稿データ"についての登録情報を受信するケース（図２のステップＳ２２５、図３のステップＳ３１５）。
・終了工程において、情報端末１５０より、管理情報９００の"校了"についての登録情報を受信するケース（図３のステップＳ３２３）。
【０１１３】
一方、ステップＳ１２０１において、登録情報を受信していないと判定した場合には、ステップＳ１２０２に進む。ステップＳ１２０２において、登録部１１０１は、印刷制御部１１０３より印刷情報を受信したか否かを判定する。ステップＳ１２０２において、印刷情報を受信したと判定した場合には、ステップＳ１２０３に進み、受信した印刷情報に基づいて、管理情報９００を更新する。また、管理情報９００を更新したことを通知部１１０５に通知する。なお、登録部１１０１が印刷情報を受信するケースとして、例えば、以下のケースが挙げられる。
・校正工程（１回目、２回目）、終了工程において、印刷制御部１１０３より、管理情報９００の"校正用原稿データ"についての印刷情報を受信するケース（図２のステップＳ２１３、図３のステップＳ３０３、Ｓ３１８）。
【０１１４】
一方、ステップＳ１２０２において、印刷情報を受信していないと判定した場合には、ステップＳ１２０４に進む。ステップＳ１２０４において、登録部１１０１は、管理情報９００の"校了"に、校了したことを示す"〇"が記録されたか否かを判定する。ステップＳ１２０４において、校了したことを示す"〇"が記録されていないと判定された場合には、ステップＳ１２０１に戻る。一方、校了したことを示す"〇"が記録されたと判定した場合には、管理情報９００についての登録処理を終了する。
【０１１５】
（２）印刷一覧生成部による一覧情報提供処理の流れ
次に、印刷一覧生成部１１０２による一覧情報提供処理の流れについて説明する。図１３は、印刷一覧生成部１１０２による一覧情報提供処理の流れを示すフローチャートである。
【０１１６】
ステップＳ１３０１において、印刷一覧生成部１１０２は、画像処理装置１４０より一覧要求を受信したか否かを判定する。ステップＳ１３０１において、一覧要求を受信していないと判定した場合には、受信するまで待機する。
【０１１７】
一方、ステップＳ１３０１において、一覧要求を受信したと判定した場合には、ステップＳ１３０２に進む。ステップＳ１３０２において、印刷一覧生成部１１０２は、一覧要求に含まれる作業者の情報（印刷作業を行うために画像処理装置１４０にログインした編集者または校正者１５１のＩＤ）を抽出する。
【０１１８】
ステップＳ１３０３において、印刷一覧生成部１１０２は、ステップＳ１３０２において抽出したＩＤと同じＩＤが"編集者／校正者"に記録されている管理情報について、管理情報ＤＢ１２１内を検索する。
【０１１９】
ステップＳ１３０４において、印刷一覧生成部１１０２は、ステップＳ１３０３において検索された管理情報それぞれに含まれる"原稿データ"のファイル名を、一覧情報として画像処理装置１４０に送信する。
【０１２０】
（３）印刷制御部による印刷制御処理の流れ
次に、印刷制御部１１０３による印刷制御処理の流れについて説明する。図１４は、印刷制御部１１０３による印刷制御処理の流れを示すフローチャートである。
【０１２１】
ステップＳ１４０１において、印刷制御部１１０３は、印刷対象として原稿データのファイル名が指定された印刷要求を、画像処理装置１４０より受信したか否かを判定する。ステップＳ１４０１において、印刷要求を受信していないと判定した場合には、受信するまで待機する。一方、ステップＳ１４０１において印刷要求を受信したと判定した場合には、ステップＳ１４０２に進む。
【０１２２】
ステップＳ１４０２において、印刷制御部１１０３は、印刷要求より、印刷対象として指定された原稿データのファイル名を抽出する。また、印刷制御部１１０３は、抽出したファイル名に対応付けて管理情報９００の"タイトル"、"編集者／校正者"に記録されているタイトル名、編集者または校正者の名前を読み出す。
【０１２３】
ステップＳ１４０３において、印刷制御部１１０３は、ステップＳ１４０２において読み出したタイトル名、編集者または校正者の名前を用いて、校正用原稿データの表紙を生成する。
【０１２４】
ステップＳ１４０４において、印刷制御部１１０３は、抽出したファイル名に対応付けて管理情報９００の"校正紙ＩＤ"に記録されている校正紙ＩＤに基づいて、校正紙フォーマット６００を読み出す。
【０１２５】
ステップＳ１４０５において、印刷制御部１１０３は、抽出したファイル名の原稿データを原稿ＤＢ１２２より読み出し、読み出した原稿データの各ページを、ステップＳ１４０４において読み出した校正紙フォーマット６００に挿入し、各シートを生成する。また、印刷制御部１１０３は、校正紙フォーマットに原稿データの各ページを挿入する際、シート数をカウントする。
【０１２６】
ステップＳ１４０６において、印刷制御部１１０３は、校正用原稿データの各シートのノンブル６４０に、ステップＳ１４０５においてカウントしたシート数及び総シート数を記入する。
【０１２７】
ステップＳ１４０７において、印刷制御部１１０３は、抽出したファイル名に対応付けて管理情報９００の"工程"に記録された工程名と、"タイトル"に記録されたタイトル名を読み出す。また、読み出した工程名とタイトル名とを、管理情報表示領域６１０の原稿特定欄６１１及びタイトル記入欄６１２に記入する。また、印刷制御部１１０３は、挿入した原稿データの各ページが割り当てられた書籍内のページ範囲を、割り当てページ記入欄６１３に記入する。
【０１２８】
ステップＳ１４０８において、印刷制御部１１０３は、抽出したファイル名に対応付けて管理情報９００の"本コード"、"工程コード"に記録された本コードと工程コードとを読み出す。また、読み出した本コード及び工程コードと、シート数及び総シート数とに基づいて二次元コードを生成し、各シートに記入する。
【０１２９】
ステップＳ１４０９において、印刷制御部１１０３は、ステップＳ１４０３において生成された表紙と、ステップＳ１４０４からＳ１４０８までの処理により生成された各シートとを、校正用原稿データとして画像処理装置１４０に出力する。また、校正用原稿データを管理サーバ１１０内の所定の格納場所に格納する。
【０１３０】
ステップＳ１４１０において、印刷制御部１１０３は、印刷情報（校正用原稿データの格納場所及びファイル名）を登録部１１０１に通知する。
【０１３１】
なお、上記説明では、印刷制御処理時に（つまり校正用原稿データを生成するタイミングで）、原稿データの各ページを校正紙フォーマット６００に挿入することとしたが、挿入のタイミングは、校正用原稿データの生成のタイミングと異なっていてもよい。つまり、原稿データの各ページの校正紙フォーマット６００への挿入は、原稿データが生成されてから、印刷制御処理が実行されるまでの任意のタイミングで行われてもよい。
【０１３２】
（４）スキャン制御部によるスキャン制御処理の流れ
次に、校正済み原稿に対するスキャン処理が実行されることで生成されたスキャンデータに対する、スキャン制御部１１０４によるスキャン制御処理の流れについて説明する。図１５は、スキャン制御部１１０４によるスキャン制御処理の流れを示すフローチャートである。
【０１３３】
ステップＳ１５０１において、スキャン制御部１１０４は、校正済み原稿に対するスキャン処理により生成されたスキャンデータを受信したか否かを判定する。ステップＳ１５０１において、校正済み原稿に対するスキャン処理により生成されたスキャンデータを受信していないと判定した場合には、受信するまで待機する。一方、ステップＳ１５０１において受信したと判定された場合には、ステップＳ１５０２に進む。
【０１３４】
ステップＳ１５０２において、スキャン制御部１１０４は、シートカウンタｎに初期値（＝"１"）を代入する。ステップＳ１５０３において、スキャン制御部１１０４は、受信したスキャンデータの中から、ｎシート目のスキャンデータを読み出す。
【０１３５】
ステップＳ１５０４において、スキャン制御部１１０４は、ｎシート目のスキャンデータに対して、シートの正否を判定するスキャンデータチェック処理を実行する。なお、スキャンデータチェック処理の詳細は、図１６及び図１７を用いて後述する。
【０１３６】
ステップＳ１５０５において、スキャン制御部１１０４は、受信したスキャンデータのすべてのシートに対して、スキャンデータチェック処理を実行したか否かを判定する。ステップＳ１５０５において、スキャンデータチェック処理を実行していないシートがあると判定した場合には、ステップＳ１５０６に進み、シートカウンタｎをインクリメントした後、ステップＳ１５０３に戻る。
【０１３７】
一方、ステップＳ１５０５において、受信したスキャンデータのすべてのシートに対して、スキャンデータチェック処理を実行したと判定した場合には、ステップＳ１５０７に進む。
【０１３８】
ステップＳ１５０７において、スキャン制御部１１０４は、受信したスキャンデータの中に、エラーと判定されたシートが含まれていたか否かを判定する。ステップＳ１５０７において、エラーと判定されたシートが含まれていると判定した場合には、ステップＳ１５０８に進む。
【０１３９】
ステップＳ１５０８において、スキャン制御部１１０４は、エラーと判定したシートにおけるエラー情報を通知部１１０５に通知する。
【０１４０】
一方、ステップＳ１５０７において、エラーと判定されたシートが含まれていないと判定した場合には、ステップＳ１５０９に進む。ステップＳ１５０９において、スキャン制御部１１０４は、受信したスキャンデータを、スキャン原稿ＤＢ１２３に格納する。また、スキャン原稿情報１０１０に、スキャンデータのファイル名、スキャン処理が実行された日時、スキャン作業を行った作業者の名前またはＩＤを記録する。
【０１４１】
（５）スキャン制御部によるスキャンデータチェック処理の流れ
次に、スキャン制御部１１０４によるスキャンデータチェック処理（ステップＳ１５０４）の流れについて図１６及び図１７を用いて説明する。図１６は、スキャン制御部１１０４によるスキャンデータチェック処理の流れを示すフローチャートである。また、図１７は、二次元コードの内容及びスキャンデータチェック処理の具体例を示す図である。
【０１４２】
図１６に示すように、スキャンデータチェック処理が開始されると、ステップＳ１６０１において、スキャン制御部１１０４は、ｎシート目のスキャンデータに二次元コードが含まれているか否かを判定する。ステップＳ１６０１において、二次元コードが含まれていると判定した場合には、ステップＳ１６０３に進む。一方、二次元コードが含まれていないと判定した場合には、ステップＳ１６０２に進む。
【０１４３】
ステップＳ１６０２において、スキャン制御部１１０４は、ｎシート目のスキャンデータにおいて二次元コードの読み取りエラーが発生したと判定する。
【０１４４】
ステップＳ１６０３において、スキャン制御部１１０４は、二次元コードを識別する。図１７（ａ）は、二次元コードの一例を示す図である。図１７（ａ）に示すように、校正用原稿データの各シートに付された二次元コードには、本コードと、工程コードと、シート数／総シート数とが含まれる。
【０１４５】
本コードは、１２ケタの数字または英字から構成される。また、工程コードは、１８ケタの数字または英字から構成される。更に、シート数及び総シート数は３ケタの数字から構成され、"／"を挟んで配置される。したがって、スキャン制御部１１０４は、二次元コードを識別することで、ｎシート目のスキャンデータがいずれの書籍のスキャンデータであるのか、いずれの工程のスキャンデータであるのか、何シート目のスキャンデータであるのかを判断することができる。
【０１４６】
図１６に戻る。ステップＳ１６０４において、スキャン制御部１１０４は、ｎシート目のスキャンデータに付された二次元コードにより識別された本コードが、正しい本コードであるか否かを判定する。なお、正しい本コードであるか否かは、他のシートに付された二次元コードにより識別された本コードと同じであるか否かに基づいて判定するものとする。例えば、全てのシートに付された二次元コードにより識別された本コードのうち、大多数（例えば、９０％以上）の本コードと同じであった場合、ｎシート目のスキャンデータに付された二次元コードにより識別された本コードは正しいと判定する。一方、識別された本コードが、当該大多数の本コードと異なっていれば正しくないと判定する。
【０１４７】
図１７（ｂ）は、総シート数＝２９９のスキャンデータのそれぞれのシートに付された二次元コードを識別した識別内容を示す図である。図１７（ｂ）に示すように、識別した二次元コードのうち、本コードは、大多数のシートにおいて、"１２３４５６７８９０ＡＢ"となっている。これに対して、１００シート目の本コードは、"１２３４５６７７７９ＡＡ"となっている。したがって、図１７（ｂ）の例では、ｎ＝１００のスキャンデータについて本コードの正否を判定した場合、スキャン制御部１１０４は、本コードが正しくないと判定する。
【０１４８】
ステップＳ１６０４において、本コードが正しいと判定した場合には、ステップＳ１６０６に進む。一方、本コードが正しくないと判定した場合には、ステップＳ１６０５に進む。ステップＳ１６０５において、スキャン制御部１１０４は、異なる書籍の校正済み原稿が混入するエラーが発生したと判定する。
【０１４９】
ステップＳ１６０６において、スキャン制御部１１０４は、ｎシート目のスキャンデータに付された二次元コードにより識別された工程コードが、正しい工程コードであるか否かを判定する。なお、正しい工程コードであるか否かは、他のシートに付された二次元コードにより識別された工程コードと同じであるか否かに基づいて判定するものとする。例えば、全てのシートに付された二次元コードにより識別された工程コードのうち、大多数（例えば、９０％以上）の工程コードと同じであった場合、ｎシート目のスキャンデータに付された二次元コードにより識別された工程コードは正しいと判定する。一方、識別された工程コードが、当該大多数の工程コードと異なっていれば正しくないと判定する。
【０１５０】
図１７（ｂ）に示すように、識別した二次元コードのうち、工程コードは、大多数のシートにおいて、"１２３４５６７８９０ＡＢＣＤＥＦＧＨ"となっている。これに対して、１８０シート目の工程コードは、"１２３４５６７８９０ＡＢＣ９９９９９"となっている。したがって、図１７（ｂ）の例では、ｎ＝１８０のスキャンデータについて工程コードの正否を判定した場合、スキャン制御部１１０４は、工程コードが正しくないと判定する。
【０１５１】
ステップＳ１６０６において、工程コードが正しいと判定した場合には、ステップＳ１６０８に進む。一方、工程コードが正しくないと判定した場合には、ステップＳ１６０７に進む。ステップＳ１６０７において、スキャン制御部１１０４は、異なる工程の校正済み原稿が混入するエラーが発生したと判定する。
【０１５２】
ステップＳ１６０８において、スキャン制御部１１０４は、ｎシート目のスキャンデータに付された二次元コードにより識別されたシート数を識別する。ステップＳ１６０９において、スキャン制御部１１０４は、識別したシート数と、（ｎ−１）シート目のスキャンデータに付された二次元コードにより識別されたシート数との差が１であるか否かを判定する。
【０１５３】
ステップＳ１６０９において、差が１であると判定された場合には、ステップＳ１６１１に進み、差が１ではないと判定された場合には、ステップＳ１６１０に進む。
【０１５４】
ステップＳ１６１０において、スキャン制御部１１０４は、（ｎ−１）シート目とｎシート目との間に、シート抜けのエラーが発生したと判定する。
【０１５５】
ステップＳ１６１１において、スキャン制御部１１０４は、ｎシート目のスキャンデータに付されたチェックマーク記入領域６２０に、校正を行ったことを示すマークが記入されているか否かを判定する。
【０１５６】
ステップＳ１６１１において、マークが記入されていると判定した場合には、ステップＳ１６１２において、ｎシート目のスキャンデータに、しおりを挿入する。これにより、ｎシート目のスキャンデータにおいて校正が行われたことを、オペレータ１３１は容易に把握することができる。なお、しおりとは、リンクの一種で、目次の役割を果たす機能をいう。
【０１５７】
なお、上記説明では、シート抜けのエラーが発生したか否かを判定するにあたり、シート数の差を算出することとしたが、シート抜けのエラーが発生したか否かの判定は、これに限定されない。例えば、シート数をカウントしていき、原稿データの総ページ数に相当するシート数が揃っているか否かを判定することで、シート抜けのエラーが発生したか否かを判定するようにしてもよい。
【０１５８】
（６）通知部による通知処理の流れ
次に、通知部１１０５による通知処理の流れについて説明する。図１８は、通知部１１０５による通知処理の流れを示すフローチャートである。
【０１５９】
ステップＳ１８０１において、通知部１１０５は、管理情報９００が更新されたか否か（登録部１１０１より更新内容が通知されたか否か）を監視する。ステップＳ１８０１において更新されたと判定された場合には、ステップＳ１８０３に進む。
【０１６０】
ステップＳ１８０３において、通知部１１０５は、管理情報９００の"通知対象者"に記録された通知対象者に、更新内容を通知する。なお、通知部１１０５では、例えば以下の更新内容を通知する。
・初稿工程において、"本コード"、"タイトル"、"編集者／校正者"、"通知対象者"、"工程"、"日付"、"スキャンデータ"、"校正紙ＩＤ"が更新された場合には（図２のステップＳ２０６）、新しい管理情報が記録されたことを通知する。また、新しい管理情報に記録された記録内容を通知する。
・初稿工程において、"原稿データ"が更新された場合には（図２のステップＳ２１０）、原稿データが新たに生成されたことを、ファイル名とともに通知する。
・校正工程（１回目、２回目）、終了工程において、"工程"、"日付"、"工程コード"が更新された場合には（図２のステップＳ２１１、図３のステップＳ３０１、Ｓ３１６）、次の工程に進んだことを、工程名、日付、工程コードとともに通知する。
・校正工程（１回目、２回目）において、"スキャンデータ"が更新された場合には（図２のステップＳ２２１、図３のステップＳ３１１）、スキャンデータが新たに格納されたことを、ファイル名とともに通知する。
・校正工程（１回目、２回目）において、"原稿データ"が更新された場合には（図２のステップＳ２２５、図３のステップＳ３１５）、原稿データが修正されたことを、ファイル名とともに通知する。
・終了工程において、"校了"が更新された場合には（図３のステップＳ３２３）、校了したことを通知する。
【０１６１】
図１８に戻る。ステップＳ１８０１において管理情報９００が更新されていないと判定された場合には、ステップＳ１８０２に進む。ステップＳ１８０２において、通知部１１０５は、スキャン制御部１１０４よりエラー情報を受信したか否かを判定する。ステップＳ１８０２において、エラー情報を受信したと判定した場合にはステップＳ１８０３に進む。
【０１６２】
ステップＳ１８０３において、通知部１１０５は、管理情報９００の"通知対象者"に記録された通知対象者に、エラー情報を通知する。なお、通知部１１０５では、校正工程（１回目、２回目）においてスキャンデータを受信した場合（図２のステップＳ２２０、図３のステップＳ３１０）、例えば以下のいずれかのエラー情報を通知する。
・二次元コードの読み取りエラー
・異なる書籍の校正済み原稿が混入するエラー
・異なる工程の校正済み原稿が混入するエラー
・シート抜けエラー
ステップＳ１８０４において、通知部１１０５は、校了したことを通知したか否かを判定し、通知していないと判定した場合には、ステップＳ１８０１に戻る。一方、校了したことを通知したと判定した場合には、管理情報９００についての通知処理を終了する。
【０１６３】
＜７．まとめ＞
以上の説明から明らかなように、本実施形態に係る画像処理システム１００では、
・管理情報ＤＢを配し、書籍を出版するまでの各工程において原稿を管理する構成とした。
・原稿データの印刷処理に際しては、校正紙フォーマットの各シートに原稿データの各ページを挿入するとともに、書籍固有の情報、工程固有の情報及びシートを特定するための情報を含む二次元コードを記入する構成とした。
【０１６４】
これにより、印刷処理された原稿データについて、シートごとに正否を判定することが可能となる。この結果、印刷処理された原稿データがスキャン処理されるまでの間に発生しうる作業ミス（異なる書籍や異なる工程のシートの混入、シートの抜け等）を抑止または低減させることが可能となる。
【０１６５】
また、本実施形態に係る画像処理システム１００では、
・校正紙フォーマットの各シートに、校正を行ったことを示すマークを記入するための欄を設けた。
【０１６６】
これにより、校正されたシートを容易に確認することが可能となる。この結果、スキャン処理された原稿に基づいて、原稿データを生成するまでの間に発生しうる作業ミス（校正されたシートに基づいて原稿データを修正する際の修正もれ）を抑止または低減させることが可能となる。
【０１６７】
更に、本実施形態に係る画像処理システム１００では、
・原稿のスキャン処理に際して二次元コードを識別し、異なる書籍または異なる工程のシートの混入と、シートの抜けとを自動的に判定する構成とした。
・原稿のスキャン処理に際して、シートごとに、校正を行ったことを示すマークの有無を自動的に判定し、マークがあると判定したシートにしおりを挿入する構成とした。
【０１６８】
これにより、印刷処理された原稿データについて、シートごとに正否を判定する作業及び校正されたシートを確認する作業を容易かつ正確に行うことが可能となる。
【０１６９】
［第２の実施形態］
上記第１の実施形態では、スキャンデータチェック処理において、本コードの正否、工程コードの正否、シート数の正否を判定するにあたり、他のシートの本コード、工程コード、及び前シートのシート数と対比する構成とした。しかしながら、本コードの正否、工程コードの正否、シート数の正否の判定方法はこれに限定されず、例えば、生成した校正用原稿データの各シートと対比することで、本コードの正否、工程コードの正否、シート数の正否を判定する構成としてもよい。以下、第２の実施形態に係る管理サーバ１１０によるスキャン制御処理及びスキャンデータチェック処理について説明する。
【０１７０】
図１９は、スキャン制御処理の流れを示すフローチャートである。なお、図１９に示す各ステップのうち、図１５で説明したスキャン制御処理と同様のステップについては、同じ参照番号を付すこととし、ここでは説明を省略する。
【０１７１】
図１５との相違点は、ステップＳ１８０１及びステップＳ１８０２である。ステップＳ１５０１において、校正済み原稿に対するスキャン処理により生成されたスキャンデータを受信したと判定した場合、ステップＳ１８０１では、スキャン制御部１１０４が、受信したスキャンデータに対応する校正用原稿データを取得する。具体的には、スキャン制御部１１０４は、管理情報９００の"校正用原稿データ"に記録されている校正用原稿データのうち、最新の校正用原稿データを読み出す。
【０１７２】
また、ステップＳ１８０２において、スキャン制御部１１０４は、スキャンデータ及び校正用原稿データのｎシート目を読み出す。これにより、ステップＳ１５０４において、スキャンデータチェック処理を行うにあたり、スキャンデータのｎシート目の二次元コードと、校正用原稿データのｎシート目の二次元コードとを対比することが可能となる。この結果、スキャンデータのｎシート目の二次元コードと校正用原稿データのｎシート目の二次元コードとが同じであれば、本コード、工程コード、シート数が正しいと判定することができる。一方、スキャンデータの二次元コードに基づいて識別した本コード、工程コード、シート数のいずれかが、校正用原稿データの二次元コードに基づいて識別した本コード、工程コード、シート数と異なっていれば、エラーが発生したと判定することができる。
【０１７３】
なお、本実施形態の判定方法によれば、例えば、校正用原稿データの一部のシートのみを印刷して校正を行った場合においても有効である。例えば、校正用原稿データの５０シート目から６５シート目までを印刷して校正を行った場合、ステップＳ１８０１において、スキャン制御部１１０４が校正用原稿データを取得するにあたり、印刷処理が行われたシートのみを読み出すようにすればよい。これにより、ステップＳ１５０４においてスキャンデータチェック処理を行うにあたり、スキャンデータのシートに対応する校正用原稿データのシートと対比することが可能となる。
【０１７４】
このように、本実施形態によれば、スキャンデータチェック処理における本コードの正否、工程コードの正否、シート数の正否を、より精度よく行うことが可能となる。
【０１７５】
［第３の実施形態］
第３の実施形態では、管理サーバ１１０利用時の課金について説明する。図２０は、第３の実施形態に係る管理サーバ１１０の機能構成を示す図である。なお、図２０に示す機能構成のうち、図１１の機能構成と同様の構成要素については同じ参照番号を付すこととし、ここでは説明を省略する。
【０１７６】
図１１の機能構成との相違点は課金部２００１を有する点である。課金部２００１は、情報端末１３０、画像処理装置１４０、情報端末１５０と管理サーバ１１０との間の通信に応じて課金する機能を有する。なお、課金部２００１による課金方法としては以下に示すように、種々の方法が挙げられる。
・管理サーバ１１０へのアクセス数に応じて課金する方法
・管理サーバ１１０の利用時間に応じて課金する方法
・管理サーバ１１０に格納されているデータのダウンロード回数（出力回数）に応じて課金する方法
・管理サーバ１１０に格納されているデータをダウンロードした際のデータ量に応じて課金する方法
図２１は、書籍を出版するまでの各工程の作業の流れを示した図２において、上記課金方法を適用して課金した場合の課金機会を示した図である。図２１において、点線２１０１及び点線２１０２が課金機会を示している。
【０１７７】
このうち、丸印は、管理サーバ１１０に格納されているデータのダウンロード回数またはデータ量に応じて課金する場合の課金機会を示している。また、三角印は、それ以外の課金機会を示している。すなわち、管理サーバ１１０に格納されているデータのダウンロード回数またはデータ量に応じて課金する方法の場合、丸印で示したタイミングで課金が行われる。また、管理サーバ１１０へのアクセス数または利用時間に応じて課金する方法の場合、丸印及び三角印で示したタイミングで課金が行われることとなる。
【０１７８】
なお、図２１では、書籍を出版するまでの各工程の作業の流れを示した図２についてのみ課金機会について示したが、図３についても同様である。また、図２１では、通知対象者への通知について明示しなかったが、通知対象者への通知についても課金を行う構成としてもよい。
【０１７９】
このように、本実施形態によれば、管理サーバ１１０の利用に対して課金することが可能となる。
【０１８０】
［第４の実施形態］
上記各実施形態では、管理情報ＤＢ１２１の管理情報への登録情報の記録を、情報端末１３０または情報端末１５０が実行することとしたが、本発明はこれに限定されない。例えば、ステップＳ２１０及びＳ２２５において原稿データのファイル名や格納場所を管理情報９００に記録する処理は、原稿データが新たに格納された際、原稿ＤＢ１２２から登録部１１０１に登録情報を通知することで実行する構成としてもよい。また、ステップＳ２２１及びＳ３１１においてスキャンデータのファイル名や格納場所を管理情報９００に記録する処理は、スキャンデータが新たに格納された際、スキャン原稿ＤＢ１２３から登録部１１０１に登録情報を通知することで実行する構成としてもよい。
【０１８１】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１８２】
１００            ：画像処理システム
１１０            ：管理サーバ
１２０            ：管理プログラム
１２１            ：管理情報ＤＢ
１２２            ：原稿ＤＢ
１２３            ：スキャン原稿ＤＢ
１３０            ：情報端末
１４０            ：画像処理装置
１５０〜１７０    ：情報端末
５００            ：初期原稿
５１０            ：原稿データ
６００            ：校正紙フォーマット
７００            ：校正用原稿データ
８００            ：校正済み原稿
９００            ：管理情報
１０１０          ：スキャン原稿情報
１０２０          ：原稿情報
１１０１          ：登録部
１１０２          ：印刷一覧生成部
１１０３          ：印刷制御部
１１０４          ：スキャン制御部
１１０５          ：通知部
２００１          ：課金部
【先行技術文献】
【特許文献】
【０１８３】
【特許文献１】特開２００６−９２１００号公報
【図１】
2016092533.tif 000003
【図２】
2016092533.tif 000004
【図３】
2016092533.tif 000005
【図４】
2016092533.tif 000006
【図５】
2016092533.tif 000007
【図６】
2016092533.tif 000008
【図７】
2016092533.tif 000009
【図８】
2016092533.tif 000010
【図９】
2016092533.tif 000011
【図１０】
2016092533.tif 000012
【図１１】
2016092533.tif 000013
【図１２】
2016092533.tif 000014
【図１３】
2016092533.tif 000015
【図１４】
2016092533.tif 000016
【図１５】
2016092533.tif 000017
【図１６】
2016092533.tif 000018
【図１７】
2016092533.tif 000019
【図１８】
2016092533.tif 000020
【図１９】
2016092533.tif 000021
【図２０】
2016092533.tif 000022
【図２１】
2016092533.tif 000023